(57)【要約】      （修正有）【課題】突出した腹部を押すと両腕を上げ、両腕を上げると突出した腹部を引っ込める仕草をなす縫い包み玩具を提供する。【解決手段】縫い包み玩具を、中空部を有した胴体と両腕を備え伸縮性のある布材からなる縫い包み本体１と、この縫い包み本体１の中空部に内蔵され腹部と腕を駆動させる動作手段２と、から構成する。動作手段２は、縫い包み本体の腹部を突出する方向に進退可能に設けられる腹部突出体３と、縫い包み本体１の両腕の中空部にそれぞれ挿入され上下方向に回動可能に軸支される一対の腕昇降体４、４と、腹部突出体３と腕昇降体４、４との間に設けられ腹部突出時には腕昇降体４、４を下方に、腹部を引き込めた時には腕昇降体４、４を上方に移動させるリンク機構５ａ〜５ｃと、常には腹部を突出する方向へ付勢する付勢手段６と、を備える。【選択図】図４
0003164734.tif 000002
【実用新案登録請求の範囲】
【請求項１】
突出した腹部を押すと両腕を上げ、両腕を上げると突出した腹部を引っ込める仕草をなす縫い包み玩具であって、この縫い包み玩具を、
中空部を有した胴体と両腕を備え伸縮性のある布材からなる縫い包み本体と、
この縫い包み本体の中空部に内蔵され腹部と腕を駆動させる動作手段と、
から構成し、前記動作手段は、
縫い包み本体の腹部を突出する方向に進退可能に設けられる腹部突出体と、
縫い包み本体の両腕の中空部にそれぞれ挿入され上下方向に回動可能に軸支される一対の腕昇降体と、
腹部突出体と腕昇降体との間に設けられ腹部突出時には腕昇降体を下方に、腹部を引き込めた時には腕昇降体を上方に移動させるリンク機構と、
常には腹部を突出する方向へ付勢する付勢手段と、を備えて構成したことを特徴とする縫い包み玩具。
【考案の詳細な説明】
【技術分野】
【０００１】  この考案は、縫い包み玩具に関し詳しくは突出した腹部を押すと両腕を上げ、両腕を上げると突出した腹部を引っ込める仕草をなす縫い包み玩具に関するものである。
【背景技術】
【０００２】  頭上に両手を上げてバイザイをする仕草は人が喜びを表す際に最も多く行われるポーズである。このバンザイのポーズは、例えばスポーツでファインプレーをした時、受験等で合格を知った時、応援しているスポーツチームが勝利した時など、男女および年齢そして国の違いに係わらず多くの場面でとられるポーズである。
そしてこのバンザイのポーズは幼い子供達も例外ではなく、遊びの最中で自分の思い通りに玩具を動かせた時、好みの玩具やお菓子を貰った時などにこのバンザイのポーズをとることがある。また自分の喜びを両親などに知らせる際に、このバンザイのポーズをとって表現することもあり、人の本能としてこのバンザイのポーズは喜びを表現する際に最も多くとられるポーズである。【０００３】  こうした背景から、にこやかな笑顔の表情をなす縫い包みが、両手を上げてバンザイのポーズをとるよう構成すれば喜びを表現する楽しい玩具（縫い包み）を子供達に提供することが出来る。【０００４】  一方、幼い子供達は腹部が突出した縫い包みを好む傾向があり、多くの縫い包みは腹部に綿やスポンジ等の柔らかい素材を押し込んで意図的に腹部に丸みを帯びたふくらみを持たせている。
また、子供向きのアニメーションに登場するキャラクターの多くが子供達に親しまれるよう腹部が丸みを帯びて突出した体形をなしている。【０００５】  子供達が縫い包み等の人形の腹部に興味があることから今日では人形の腹部を押す事で動き出すように構成した人形玩具が提案されている。
下記２件の特許文献はいずれも人形の腹部を押す事によって両腕が動くように構成されており、詳しくは腹部を押した際に弾み車（フライホイール）を回転させ、その回転力によって両腕を回転させる構造となっている。これらの玩具は機械的な部品が全て人形内部に格納されていてスイッチやレバー等が設けられておらず人形の形状に不自然さを与えることなく動きのある人形を提供している。
【特許文献１】実開平６−６３０９７号公報
【特許文献２】実開平５−６２２９６号公報
【考案の開示】
【考案が解決しようとする課題】
【０００６】  しかしながら上記従来の人形は腹部を押す事によって腕を回転させる構造となっており喜んで両腕を上げたバンザイのポーズをとるわけではない。
腕を回転させる行動は「嫌がって暴れる」あるいは「駄々をこねる」際に多くとる行動であり喜びを表現する行動とは大きく異なっている。
また上記従来の玩具はある程度の重量のある弾み車を回転させる必要があるため小さな子供には操作するのに無理がある。【０００７】  そして上記従来の玩具は腹部を押すと腕を回転させる構造になっているが、逆に腕を回転させても腹部が引っ込む構成ではない。すなわち腹部と両腕はリンク機構によって互いに往復運動する構造ではなく腹部を押した力によって弾み車を回転させてこの弾み車よって両腕を回転させるものであり腕を回転させても腹部はなんら動くことはない。
【課題を解決するための手段】
【０００８】  この考案に係る縫い包み玩具は上記従来の課題を解決するためになされたもので、縫い包み玩具を、中空部を有した胴体と両腕を備え伸縮性のある布材からなる縫い包み本体と、この縫い包み本体の中空部に内蔵され腹部と腕を駆動させる動作手段と、から構成し、前記動作手段は、縫い包み本体の腹部を突出する方向に進退可能に設けられる腹部突出体と、縫い包み本体の両腕の中空部にそれぞれ挿入され上下方向に回動可能に軸支される一対の腕昇降体と、腹部突出体と腕昇降体との間に設けられ腹部突出時には腕昇降体を下方に、腹部を引き込めた時には腕昇降体を上方に移動させるリンク機構と、常には腹部を突出する方向へ付勢する付勢手段と、を備えて構成し上記従来の課題を解決しようとするものである。
【考案の効果】
【０００９】  この考案に係る縫い包み玩具は突出している腹部を押すという容易な操作によって両腕を上げたバンザイのポーズをとることが出来、何かに喜んでいるような嬉しそうな表情が楽しめる。
また腹部を繰り返し押すようにすればバンザイを繰りかえし大喜びをしているような表情が楽しめる。
そして腹部を少しだけ押せば両腕を前方に突き出した「ダッコをねだる」ポーズを作ることも出来る。【００１０】  一方、両腕と腹部は互いに往復運動するリンク機構によって連結されているので縫い包み玩具の腕を上方に上げると突出している腹部が引き込むように動かすことが出来、腹部を出したり引っ込めたりして楽しむことも可能である。
【実施例】
【００１１】  図面に基づいてこの考案の実施例を説明する。図１ないし図６はこの考案の請求の範囲第１項に係る縫い包み玩具の一実施例を示す図である。
図１は縫い包み玩具の正面図で、図に示す１は縫い包み本体であり、この例で縫い包み本体１はコグマの外形をなしていて、顔にはにこやかな笑みを浮かべている。そしてこの縫い包み本体１は伸縮性のある布材から形成されていて腹部と両腕は中空部を有した袋状となっている。
そしてこの縫い包み玩具は図２の側面図に示すように腹部が丸みを帯びて突出しており子供達に親しまれやすく、また興味深い形状となっている。【００１２】  図３及び図４は縫い包み玩具の内部を示す図であり、図に示す２は縫い包み玩具本体１に格納される動作手段であり、この動作手段２は、腹部突出体３と、腕昇降体４，４と、リンク機構５と、を備えている。
腹部突出体３は腹部が突出する方向に往復移動可能に設けられていて先端は丸みを帯びた形状となっている。【００１３】  一方、腕昇降体４、４は縫い包み本体１の両腕の中空部内に対してそれぞれ挿入されていて、これら腕昇降体４、４はその先端部が上下方向に回動するように他端部が軸持されている。【００１４】  またリンク機構５は腹部突出体３と腕昇降体４，４との両者に連結されていて腹部突出体３が突出している時には腕昇降体４、４を下方に、腹部突出体３が引っ込んでいる時には腕昇降体４、４を上方に移動させるよう構成されている。【００１５】  次に図３及び図４に基づいてリンク機構５の構成例を説明する。
図において５ａは腹部突出体３と一体に設けられ長孔を有した往復体であり、５ｂはこの往復体５ａの長孔に挿通されるスライド棒、そして５ｃ、５ｃは一端をスライド棒５ｂの端部に他端を腕昇降体４の支持軸に固定されるリンク体である。【００１６】  次にこのリンク機構５の作用を図５により説明する。
図５（ａ）は腹部突出体３が突出している際を示す図で、この状態においてスライド棒５ｂは往復体５ａの長孔の下方側に位置していて腕昇降体４はリンク体５ｃにより下方に向けて支持されている。【００１７】  図５（ａ）の状態から腹部突出体３が押され同図（ｂ）のように腹部突出体３が図の左側に移動すると往復体５ａも同方向へ移動し、これによってスライド棒５ｂは往復体５ａの長孔内を上方に向けて移動しリンク体５ｃを反時計方向へ回動させる。【００１８】  同図（ｂ）の状態から更に腹部突出体３を押すと同図（ｃ）に示すようにスライド棒５は長孔を下降しリンク体５を更に同方向へ回動させ腕昇降体４を図に示すように上方へ向かって上げた状態となるまで回動させる。【００１９】  そして上方へ上げられた腕昇降体４によって図６に示すように縫い包み玩具は両手を上げて喜んでいるバンザイの姿勢となる。【００２０】  一方、図４に示す６は付勢手段としてのスプリングであり、このスプリング６は腹部突出体３の内側に設けられていて腹部突出体３を常には突出する方向へ付勢しており、これによって遊ぶ前の縫い包み玩具は図２に示すように腹部が突出し、両腕を下げた状態となっている。
なお、このスプリング６は小さな子供であっても容易に押す事が出来る比較的小さな弾性力を有したスプリングを使用している。【００２１】  この考案に係る縫い包み玩具は以上説明した構成となっているので、突出している腹部を押す事によって両腕を上げたバンザイのポーズをとることが出来、何かに喜んでいるような嬉しそうな表情が楽しめる。
また腹部を繰り返し押すようにすればバンザイを繰りかえし大喜びをしているような表情が楽しめる。【００２２】  そして腹部を少しだけ押せば両腕を前方に突き出した「ダッコをねだる」ポーズを作ることも出来る。
一方、両腕と腹部は互いに往復運動するリンク機構によって連結されているので縫い包み玩具の腕を上方に上げると突出している腹部が引き込むように動かすことが出来、腹部を出したり引っ込めたりして楽しむことも可能である。【００２３】  また縫い包み本体１は伸縮性のある布材から形成されているので腹部の突出時および引き込み時のいずれにおいても縫い包み本体１にシワが生じることはない。
そして動作手段２は縫い包み本体１に格納されているので指先がリンク機構に挟まれてしまう虞もなく安全な玩具を提供することが出来る。【００２４】  またバンザイのポーズをするこの縫い包み玩具から楽しげな鳴き声を出すように構成しても良い。例えば腹部突出体３の内側に空気の流動により音を発する笛と、この笛に連結され収縮時に笛に空気を送る袋状部材と、を格納しておけば腹部突出体３を押してバンザイのポーズをとる際に「ピュー」という楽しげな鳴き声を出す縫い包み玩具を提供することが出来る。
【図面の簡単な説明】
【００２５】
【図１】この考案の請求項第１項に係る縫い包み玩具の一実施例を示す正面図である。
【図２】図１に示した縫い包み玩具の側面図である。
【図３】縫い包み玩具の動作手段を示す正面図である。
【図４】縫い包み玩具の動作手段を示す側面図である。
【図５】リンク機構の作用を示す説明図である。
【図６】バンザイのポーズをする縫い包み玩具を示す正面図である。
【符号の説明】
【００２６】１  縫い包み本体
２  動作手段
３  腹部突出体
４  腕昇降体
５  リンク機構
６  付勢手段（スプリング）
【図１】
0003164734.tif 000003
【図２】
0003164734.tif 000004
【図３】
0003164734.tif 000005
【図４】
0003164734.tif 000006
【図５】
0003164734.tif 000007
【図６】
0003164734.tif 000008